(57)【特許請求の範囲】
【請求項１】
壁に設けられた枠体の内部に設けられた開口を開閉する扉部と、この扉部を駆動する駆動部と、この駆動部に電力を供給する電源部とを備えた自動ドアであって、
前記駆動部が前記扉部に設けられ、前記電源部が前記枠体に設けられ、前記枠体には前記開口の上端縁に沿って延びる上枠部が設けられ、この上枠部には前記扉部を摺動自在に吊り下げ支持するレールが下方に開口が向けられたレール用ケース部材に覆われた状態で設けられ、このレール用ケース部材と前記壁との間に空洞が設けられ、前記電源部は底部が開口された電源部用ケース部材の内部に空洞が設けられた状態で覆われるとともに前記レールの端部に隣接配置され、前記レール用ケース部材と前記壁との間に設けられた空洞と前記電源部用ケース部材の内部に設けられた空洞とが連通し、前記電源部から前記駆動部へ電力を供給するための電源ケーブルが前記空洞に挿通されている
ことを特徴とする自動ドア。
【請求項２】
請求項１に記載の自動ドアにおいて、前記上枠部には、前記レールと前記レール用ケース部材と前記電源部と前記電源用ケース部材とを隠蔽するカバー部材が着脱可能に設けられていることを特徴とする自動ドア。
【請求項３】
請求項２に記載の自動ドアにおいて、互いに噛み合うフック状およびパイル状の表面をそれぞれ有する二枚の帯状部材で前記カバー部材が前記上枠部に取り付けられていることを特徴とする自動ドア。
【請求項４】
請求項１ないし請求項３のいずれかに記載の自動ドアにおいて、前記電源部に設けられた操作スイッチが前記上枠部の下面から露出していることを特徴とする自動ドア。
【発明の詳細な説明】
【０００１】
【発明の属する技術分野】
本発明は、人が直接に手をかけなくても自動的に扉部が開閉する自動ドアに関する。
【０００２】
【背景技術】
従来より、建物に設けられる扉として、人が直接に手をかけなくても自動的に扉部が開閉する自動ドアが利用されている。
このような自動ドアは、壁に設けられた開口を開閉するために、当該開口に対して摺動可能に設けられた扉部と、この扉部を駆動するモータ等の駆動部と、この駆動部に電力を供給する電源部と、人の接近を検出して、前記駆動部を電気的に制御する制御部とを備えているのが一般的である（特開平８−２１００２５号公報等参照）。
ここで、自動ドアの駆動部、電源部および制御部等の電気的な構成要素は、建物の壁の内部に隠蔽されて設けられている。そして、壁には、扉付の点検口を設け、必要に応じて、点検口を開いて、自動ドアの駆動部、電源部および制御部の点検や保守を行っている。
【０００３】
【発明が解決しようとする課題】
このような自動ドアでは、駆動部、電源部および制御部等の電気的な構成要素を、建物の壁の内部に埋め込んで設置しなければならないので、これらの駆動部、電源部および制御部の設置作業が面倒となるだけでなく、開口や空洞を設けなければならないので、自動ドアの周囲に設けられた壁の構造が複雑になり、壁そのものを構築する作業も面倒になるという問題がある。
【０００４】
本発明の目的は、設置作業およびその周囲の壁の構築作業が容易に行える自動ドアを提供することにある。
【０００５】
【課題を解決するための手段】
本発明は、図面をも参照して説明すると、壁２に設けられた枠体４の内部に設けられた開口３を開閉する扉部１１と、この扉部１１を駆動する駆動部１３と、この駆動部１３に電力を供給する電源部１４とを備えた自動ドア１であって、前記駆動部１３が前記扉部１１に設けられ、前記電源部１４が前記枠体４に設けられ、前記枠体４には前記開口３の上端縁に沿って延びる上枠部４Ｂが設けられ、この上枠部４Ｂには前記扉部１１を摺動自在に吊り下げ支持するレール２０が下方に開口が向けられたレール用ケース部材２７に覆われた状態で設けられ、このレール用ケース部材２７と前記壁２との間に空洞２８が設けられ、前記電源部１４は底部が開口された電源部用ケース部材４０の内部に空洞２８が設けられた状態で覆われるとともに前記レール２０の端部に隣接配置され、前記レール用ケース部材４０と前記壁２との間に設けられた空洞２８と前記電源部用ケース部材２７の内部に設けられた空洞２８とが連通し、前記電源部１４から前記駆動部１３へ電力を供給するための電源ケーブル２３が前記空洞２８に挿通されていることを特徴とする。このような本発明では、自動ドア１に設けられる電気的な構成要素の末端部分である駆動部１３および電源部1４を、自動ドア１の扉部１１および枠体４に設けるので、自動ドア１の電気的構成要素のすべてが、扉部１１および枠体４のいずれかに納まるようになり、従来のように、電気的な構成要素を壁２の内部に埋め込む必要がなくなる。このため、駆動部１３および電源部1４等の電気的構成要素の設置作業が容易となるうえ、壁２に開口や空洞を設ける必要がないので、自動ドア１の周囲の壁２の構造が複雑になることがなく、壁２そのものの構築作業も容易になる。
【０００６】
また、このようにすれば、枠体４の上枠部４Ｂが単なる平板であっても、上枠部４Ｂの下面にレール２０および電源部１４を、当該上枠部４Ｂの長手方向に沿って並べて設けることができるので、間仕切壁２等の開口３に設けられる通常の枠体４にも自動ドア１の設置が図れるようになり、自動ドア１を設置するにあたり、枠体４を大幅に改造することなく、自動ドア１が設置できるようになる。
【０００７】
この際、前記上枠部４Ｂには、前記レール２０と前記レール用ケース部材２７と前記電源部１４と前記電源用ケース部材４０とを隠蔽するカバー部材２４が着脱可能に設けられていることが好ましい。このようにすれば、レール２０が室内に露出せず、室内で発生する埃がレール２０に付着しにくくなり、埃の付着による故障が減り、耐久性が向上するようになるうえ、カバー部材２４を外すことにより、レール２０、レール用ケース部材２７、電源部１４および電源用ケース部材４０が同時に露出され、点検・保守が容易に行えるようになる。
【０００８】
また、前記カバー部材24を前記上枠部4Bに取り付けるにあたり、互いに噛み合うフック状およびパイル状の表面をそれぞれ有する二枚の帯状部材26A，26Bを採用するのが望ましい。
このようにすれば、レール20および電源部14の点検・保守を行うにあたり、カバー部材24の取り外しが容易に行え、点検・保守を開始する準備に時間がかからないうえ、点検・保守が完了した後、カバー部材24の取り付けも容易に行え、点検・保守の完了後の後始末にも時間がかからず、点検・保守に要する時間が短縮されるようになる。
【０００９】
さらに、前記電源部14に設けられた操作スイッチ14A が前記上枠部4Bの下面から露出していることが好ましい。
このようにすれば、露出した操作スイッチ14A が目立つことがなく、自動ドア１の外観を何ら損なうことがないうえ、操作スイッチ14A が露出しているので、点検・保守等の際に、迅速かつ容易に操作が行え、作業の便宜が図られるようになる。
【００１０】
【発明の実施の形態】
以下、本発明の実施の一形態を図面に基づいて説明する。
図１および図２には、本実施形態に係る自動ドア１が示されている。この自動ドア１は、建物の内部を仕切る間仕切壁２に形成された開口３を開閉する扉部11を有するものである。開口３は、間仕切壁２に設けられた枠体４の内部に設けられている。
枠体４は、一対の縦枠部4Aと、開口３の上縁に沿って延びる上枠部4Bとを有するものである。枠体４の内部には、間仕切壁２の一部である間仕切部2Aが設けられている。間仕切部2Aは、枠体４の外部の間仕切壁２よりも厚さ寸法が小さくされたものである。この間仕切部2Aにより、間仕切壁２の表面から凹んだ凹部５が開口３に隣接して形成されている。この凹部５には、開口３から退いた扉部11が収納されるようになっている。
【００１１】
扉部11は、上枠部4Bの下面に設けられたレール20に吊り下げ支持され、かつ、このレール20に沿って摺動自在とするために、吊戸車12（図２にのみ示す）が上端縁に設けられたものである。自動ドア１には、扉部11をレール20に沿って駆動する駆動部13と、この駆動部13へ電力を供給する電源部14と、駆動部13を電気的に制御する制御部15とが備えられている。これらのうち、駆動部13および制御部15が扉部11に設けられ、電源部14が枠体４に設けられている。
駆動部13は、枠体４側に設けられたベルト21と係合する一対の駆動輪16を有し、内蔵されたモーターで駆動輪16を回転駆動させ、扉部11を移動させるものである。例えば、図３に示されるように、ベルト21は、表面に凹凸状の係合歯21A を多数備えたタイミングベルトである。これに対し、駆動輪16は、ベルト21の係合歯21A に対応した歯16A を備えている。そして、駆動輪16の間には、ベルト21を駆動輪16へ向かって付勢するテンショナー17が設けられている。これらにより、駆動輪16の回転駆動で、確実に扉部11が移動するようになっている。
【００１２】
図１および図２に戻って、制御部15は、人の扉部11への接近を検出する近接センサ15A を備え、人が扉部11に接近すると駆動部13へ起動信号を送出するものである。この制御部15は、人が扉部11の近傍に存在しつづけた場合には、扉部11が閉じないように、駆動部13への起動信号の送出を継続する機能を有している。なお、制御部15は、人が扉部11の近傍から去った場合には、扉部11が閉じるように、駆動部13への起動信号の送出を止めるようになっている。
【００１３】
電源部14は、電力会社からの商用交流電圧を、駆動部13を駆動するのに適した電圧に変換するものである。この電源部14には、扉部11の移動速度を調節するスピードコントロール機能と、駆動部13に流れる電流値から扉部11が全開位置あるいは全閉位置に到達したことを検出し、扉部11を停止あるいは反転させる機能とが設けられている。
また、電源部14には、商用交流電力を当該電源部14に供給するための電源ケーブル22と、駆動部13へ電力を供給するための電源ケーブル23とが接続されている。このうち、電源ケーブル23は、複数に分割されたものをコネクタ23A で相互に接続したものである。また、電源ケーブル23の端部には、プラグ23B が設けられ、このプラグ23B を介して駆動部13に接続されている。
【００１４】
このような電源部14は、枠体４の角隅であって、レール20の端部に隣接配置されている。この際、上枠部4Bには、レール20および電源部14を隠蔽するカバー部材24が着脱可能に設けられている。
具体的には、上枠部4Bには、レール20の長手方向に沿って複数の支持片25が設けられ、これらの支持片25の側面には、図４および図５にも示されるように、互いに噛み合うフック状およびパイル状の一方を表面に備えた帯状部材26A が設けられている。
カバー部材24の裏面には、互いに噛み合うフック状およびパイル状の他方を表面に備えた帯状部材26B が設けられている。カバー部材24は、帯状部材26A，26Bのフック状およびパイル状を互いに噛み合わせることにより、支持片25に取り付けられている。
なお、カバー部材24は、木粉を含んだ合成樹脂を押出成形することにより製造されたものであり、表面に木目模様が形成されている。また、帯状部材26A，26Bは、いわゆるマジックテープ（商標）である。
【００１５】
ここで、レール20は、図４の如く、断面が溝形となった長尺部材であり、開口が下方に向けられるとともに、上方の背側が溝形状のケース部材27に覆われ他状態で、上枠部4Bの下面に取り付けられている。
レール20の内部には、扉部11の吊戸車12を滑走させるための滑走面20A が上向きに一対設けられている。レール20には、一方の滑走面20A 側の側壁20B が当該滑走面20A よりも下方に延びており、この側壁20B がカバー部材24で隠蔽されるようになっている。
ケース部材27の図中右側の空洞28は、電源ケーブル23を挿通させる配線空間とされ、この電源ケーブル23は、保護チューブ28A の内部に挿通されている。
なお、扉部11の下端面には、扉部11の摺動方向に延びる溝11A が設けられている。一方、床には、扉部11の下端面に設けられた溝11A に応じて、断面Ｌ字形状の振れ止め部材29が設けられ、この振れ止め部材29の先端が扉部11の溝11A の内部に挿通されている。これにより、吊り下げ支持された扉部11の下端が揺動しないようになっている。
【００１６】
また、上枠部4Bの下面には、レール20とともに空洞28を挟むように、角材30が取り付けられている。この角材30の下面には、嵌合部材31が取り付けられ、この嵌合部材31の側面には、枠側面用化粧材32が取り付けられ、嵌合部材31の下面には、枠底面用化粧材33が取り付けられている。これらの枠側面用化粧材32および枠底面用化粧材33は、カバー部材24と同様に、木粉を含んだ合成樹脂を押出成形することにより製造されたものであり、表面に木目模様が形成されている。
【００１７】
一方、電源部14は、図５の如く、断面が略コ字形となったケース部材27に覆われたもので、ケース部材40の開口された底部から取り出し可能となっている。
ケース部材40は、コ字形の背の部分が上枠部4Bに取り付けれれている。このケース部材40の内部には、レール20を収納したケース部材27の内部から延長された空洞28が設けられている。この空洞28には、電源ケーブル23が内臓された保護チューブ28A が挿通されている。
ケース部材40の開口は、当該ケース部材40に着脱可能に設けられた蓋部材41で塞がれている。蓋部材41には、当該蓋部材41の表裏を貫通する貫通孔41A が設けられている。これにより、図６にも示されるように、電源部14の下面に設けられた操作スイッチ14A が上枠部4Bの下面から露出し、操作スイッチ14A の操作が容易に行えるようになっている。
【００１８】
前述のような本実施形態によれば、次のような効果が得られる。
すなわち、自動ドア１に設けられる電気的な構成要素の末端部分である駆動部13および電源部14を、自動ドア１の扉部11および枠体４に設けることにより、自動ドア１の電気的構成要素のすべてが、扉部11および枠体４のいずれかに納まるようにしたので、従来のように、電気的な構成要素を壁２の内部に埋め込む必要がなくなり、駆動部13および電源部14等の電気的構成要素の設置作業を容易に行うことができるうえ、間仕切壁２に機器を収納するための開口や空洞を設ける必要がないので、自動ドア１の周囲の間仕切壁２の構造が複雑になることがなく、間仕切壁２そのものの構築作業も容易に行うことができる。
【００１９】
また、開口３の上端縁に沿って延びる上枠部4Bを枠体４に設け、この上枠部4Bに、扉部11を摺動自在に吊り下げ支持するレール20を設け、電源部14をレール20の端部に隣接配置したので、枠体４の上枠部4Bが単なる平板であっても、上枠部4Bの下面にレール20および電源部14を、当該上枠部4Bの長手方向に沿って並べて設けることができ、間仕切壁２等の開口３に設けられる通常の枠体４にも自動ドア１の設置が図れるようになり、自動ドア１を設置するにあたり、枠体４を大幅に改造することなく、自動ドア１が設置できるうえ、上枠部4Bまわりの納まりがコンパクトとなり、通常の内部造作用建具とほぼ同様の外観を自動ドア１に付与することができる。
【００２０】
さらに、レール20および前記電源部14を隠蔽するカバー部材24を上枠部4Bに着脱可能に設けたので、レール20が室内に露出せず、室内で発生する埃がレール20に付着しにくくなり、埃の付着による故障が減り、耐久性を向上することができるうえ、カバー部材24を外すことにより、レール20および電源部14が同時に露出され、点検・保守を容易に行うことができる。
【００２１】
また、カバー部材24を上枠部4Bに取り付けるにあたり、互いに噛み合うフック状およびパイル状の表面をそれぞれ有する二枚の帯状部材26A，26Bを採用したので、レール20および電源部14の点検・保守を行うにあたり、カバー部材24の取り外しが容易に行え、点検・保守を開始する準備に時間がかからないうえ、点検・保守が完了した後、カバー部材24の取り付けも容易に行え、点検・保守の完了後の後始末にも時間がかからず、点検・保守に要する時間を短縮できる。
【００２２】
さらに、電源部14に設けられた操作スイッチ14A を上枠部4Bの下面から露出させたので、露出した操作スイッチ14A が目立つことがなく、自動ドア１の外観を何ら損なうことがないうえ、操作スイッチ14A が露出しているので、点検・保守等の際に、迅速かつ容易に操作が行え、作業の便宜を図ることができる。
【００２３】
以上、本発明について好適な実施形態を挙げて説明したが、本発明は、この実施形態に限られるものではなく、本発明の要旨を逸脱しない範囲において、種々の改良並びに設計の変更が可能である。
例えば、扉部としては、間仕切壁の開口を開閉する内部造作用の建具となるものに限らず、玄関等の開口を開閉する外部造作用の建具であってもよい。
また、扉部の支持構造としては、レールに摺動自在に吊り下げ支持する構造に限らず、床に敷設したレールの上に扉部を配置し、このレールに載置して支持させる構造でもよく、扉部の支持構造は、実施にあたり適宜選択できる。
【００２４】
【発明の効果】
上述のように本発明によれば、設置作業およびその周囲の壁の構築作業を容易に行うことができる。
【図面の簡単な説明】
【図１】本発明の実施の一形態に係る自動ドア全体を示す正面図である。
【図２】前記実施形態に自動ドア全体を示す分解斜視図である。
【図３】前記実施形態の駆動部の要部を示す拡大斜視図である。
【図４】図１のIV−IV線における断面図である。
【図５】図１のＶ−Ｖ線における断面図である。
【図６】前記実施形態の要部を示す拡大斜視図である。
【符号の説明】
１  自動ドア
２  壁としての間仕切壁
３  開口
４  枠体
4B  上枠部
11  扉部
13  駆動部
14  電源部
14A 操作スイッチ
20  レール
24  カバー部材
26A，26B  帯状部材
【図１】
0004302209.tif 000002
【図２】
0004302209.tif 000003
【図３】
0004302209.tif 000004
【図４】
0004302209.tif 000005
【図５】
0004302209.tif 000006
【図６】
0004302209.tif 000007